(57)【要約】【課題】カード読取装置において、磁気カードの磁気データと、当該磁気データと同じ情報を表したバーコードデータとを読み取ることができるようにし、磁気データの読取ができない場合は、バーコード情報を利用する。【解決手段】カードリーダ本体ケースの磁気カード移送経路途中に開口を設ける。そして、この開口にバーコードリーダの読取ヘッドを配置する。これにより、磁気カードの磁気データと当該磁気データと同じ情報を表したバーコードデータとの両方のデータを読み取ることが可能である。  従って、磁気カードの磁気データが消失した場合や磁気ヘッドが故障した場合であっても、磁気カードのバーコード情報を読み込み、システムを停止させることなく運用することが可能である。【選択図】  図２
2007148484.tif 000002
【特許請求の範囲】
【請求項１】
カードリーダ本体ケースの磁気カード移送経路途中に開口を設け、該開口にバーコードリーダの読取ヘッドを配置し、磁気カードの磁気データと当該磁気データと同じ情報を表したバーコードデータとを読み取ることができるようにしたことを特徴とするカード読取装置。
【請求項２】
カードリーダ本体内に挿入された磁気カードの磁気データを磁気ヘッドで読み取り、読み取った情報を出力するようにしたカード読取装置において、磁気カードの磁気データが消失したとき又は磁気ヘッドが故障したときに、カードリーダ本体ケースの磁気カード移送経路途中に配置したバーコードリーダの読取ヘッドで前記磁気データと同じ情報を表したバーコード情報を読み取り、出力するようにしたことを特徴とするカード読取方法。
【発明の詳細な説明】
【技術分野】
【０００１】
本発明は、磁気カードの磁気データを読み取ることができない場合に、磁気カードの表面に付したバーコードデータを読み取り、システムを停止することなく、運用することのできるカード読取装置及び方法に関するものである。
【背景技術】
【０００２】
通常、磁気カードは、所定の情報を磁気データとしてカード本体の磁気記憶部に記憶させておき、使用時に磁気ヘッドで前記磁気データを読み取っている。
磁気カードには、磁気データの消去及び再度の書き込みが行えるリライトタイプのものもある。リライトカードは、磁気データを書き換えて使用する偽造行為が横行しており、これを防止するための対策が必要である。またリライトカードは、カード自体の化学構造をリライトできる特殊なものにする必要がある。本発明は、このようなリライトタイプのものではなく、安価で普及しやすい、リードオンリータイプの磁気カードを対象とするものである。
【０００３】
特許文献１に記載された技術は、磁気カードリーダを磁気カードの読み取り以外にも使用できるようにしたものである。具体的には、磁気カードリーダ内の磁気ヘッドの近くに電磁誘導用のコイルを設置し、このコイルに対して外部装置からのデーターを周波数または時間または振幅変調した電流を流し、このコイルから発生した電磁誘導を磁気カードリーダ内の磁気ヘッドで受信している。受信した磁気的なデーターは、磁気ヘッドで電圧となり、磁気カードリーダ内の電子回路でデーター処理される。
これにより、磁気カードリーダで、間接的に非接触カードまたはバーコードなど、他のメディアのデータを読み取る事が実現できるようにしている。
【０００４】
また特許文献２に記載された技術は、リライト磁気カードにバーコードを表示し、リーダライタプリンタの適所にバーコードセンサを内設することで、偽造リライト磁気カードの使用を抑止し処理スペードの遅れや装置の大型化なしに、セキュリティの向上を図るようにしたものである。
具体的には、リーダライタプリンタを用い、そのリライト磁気カードデータ読み取り書き込み部において、磁気ヘッドにより磁気データを読み込むのと併行して、近接のバーコードセンサによりリライト磁気カードに予め表示してあるバーコードのデータをも読み込ませるようにしている。そして、読み込んだ各データを夫々のメモリ回路に記憶させ、これらが予め定められた各情報と一致するか否かを演算処理回路により解析し、何れか一方のデータでも不一致の解析結果が認められれば、偽造カードであると判断し、そのリライト磁気カードをカード搬入路から搬出するようにしている。
【特許文献１】特開２００５−５６５４０号
【特許文献２】特開平９−２５１５２１号公報
【発明の開示】
【発明が解決しようとする課題】
【０００５】
ところで、前記特許文献１の技術においては、バーコードリーダで読み込んだバーコード情報をコイルを介して磁気カードリーダの磁気ヘッドに受信させたり、又は非接触式のカードリーダで読み込んだ情報を磁気カードリーダの磁気ヘッドに受信させて、多目的な利用ができるようにしているが、結局のところ、磁気カードリーダと、その他のメディアの読取手段とを別々に準備して別々に取り付ける必要があり、更にはそれぞれのカード読取装置でカードの挿入、読み込み、排出等の一連の動作を行う必要があり、全体としての操作も面倒であった。
【０００６】
また特許文献２の技術にあっては、偽造カードの使用を中止することが目的であり、偽造カードであることを発見するために磁気カードの磁気データと、磁気カードに付したバーコードデータとを読み取り、それぞれのカード情報を別途に確認することで、二重のセキュリティを実施するものである。
【０００７】
従って、特許文献１及び２のいずれの技術の場合も磁気カードの磁気データが消失した場合や磁気ヘッドが故障して磁気データの読取が行えなくなったような場合には対処できず、システム全体の使用を中止してその対策を実施する必要があった。つまり、故障時の対策は何ら施されていなかった。
【０００８】
本発明は従来の前記問題点に鑑みてこれを改良除去したものであって、磁気カードの磁気データが消失した場合や磁気ヘッドが故障した場合であっても、磁気カードのバーコード情報を読み込み、システムを停止させることなく運用することのできるカード読取装置及び方法を提供せんとするものである。
【課題を解決するための手段】
【０００９】
前記課題を解決するために本発明が採用した請求項１の手段は、カードリーダ本体ケースの磁気カード移送経路途中に開口を設け、該開口にバーコードリーダの読取ヘッドを配置し、磁気カードの磁気データと当該磁気データと同じ情報を表したバーコードデータとを読み取ることができるようにしたことを特徴とするカード読取装置である。
【００１０】
また本発明が採用した請求項２の手段は、カードリーダ本体内に挿入された磁気カードの磁気データを磁気ヘッドで読み取り、読み取った情報を出力するようにしたカード読取装置において、磁気カードの磁気データが消失したとき又は磁気ヘッドが故障したときに、カードリーダ本体ケースの磁気カード移送経路途中に配置したバーコードリーダの読取ヘッドで前記磁気データと同じ情報を表したバーコード情報を読み取り、出力するようにしたことを特徴とするカード読取方法である。
【発明の効果】
【００１１】
請求項１の発明にあっては、カードリーダ本体ケースの磁気カード移送経路途中に開口を設けている。そして、この開口にバーコードリーダの読取ヘッドを配置している。これにより、磁気カードの磁気データと当該磁気データと同じ情報を表したバーコードデータとの両方のデータを読み取ることが可能である。
従って、磁気カードの磁気データが消失した場合や磁気ヘッドが故障した場合であっても、磁気カードのバーコード情報を読み込み、システムを停止させることなく運用することが可能である。
【００１２】
請求項２の発明は、前記請求項１の装置の発明を具体的に実施するための方法である。通常の使用状態にあっては、カードリーダ本体内に磁気カードが挿入されると、その磁気データを磁気ヘッドが読み取り、読み取った情報を出力し、発券や呼出表示その他の後処理作業を行うようにしている。
これに対して、このような通常の使用状態から磁気カードの磁気データが消失したとき又は磁気ヘッドが故障したときの異常時には、カードリーダ本体ケースの磁気カード移送経路途中に配置したバーコードリーダの読取ヘッドで前記磁気データと同じ情報を表したバーコード情報を読み取り、読み取った情報を出力し、発券や呼出表示その他の後処理作業を行うようにしている。
このように、故障などのない通常の使用状態のときと、磁気カードの磁気データが消失した場合や磁気ヘッドが故障した場合の異常時のいずれの場合であっても、磁気カードの磁気データ情報又はバーコード情報を読み取ることができ、システムを停止させることなく連続した運用することが可能である。
【発明を実施するための最良の形態】
【００１３】
以下に、本発明の構成を、図面に示す最良の一実施の形態によるカード読取装置を説明すると次の通りである。図１は、この発明の一実施形態による磁気カード１とカード読取装置２とを示す平面図、図２はカード読取装置２の主要部分を側面から見た概略透視図、図３はカード読取装置２を組み込んだ患者案内端末装置３の正面図である。図１及び図２に示す如く、磁気カード１は、カード本体１Ａの片方寄りの位置に、長手方向の一方端から他方端まで所定幅をもって磁気媒体層４が形成されており、その近傍にはバーコード５が付されている。磁気媒体層４には、例えば患者の氏名、診察券番号等の情報が磁気データとして記録されており、またバーコード５は前記磁気データと同じ情報を表すように設定されている。
【００１４】
カード読取装置２は、カードリーダ本体のケース６内に電子部品、電子基盤、磁気カード１の駆動機構、読取ヘッドなどが実装されている。本体ケース６の正面側には、磁気カード１の挿入口７が設けられている。また本体ケース６内の磁気カード移送経路Ｌに沿って、手前部（挿入口側）と、中間部と、奥部とには、磁気カード１の両端側でこれに送りを与える駆動ローラ８Ａ〜８Ｃが上下に二個づつ、合計十二個が配設されている。正逆回転が選択的に切り替えられる駆動モータ９は、中間部の駆動ローラ８Ｂのプーリに懸架されたベルトで連結されており、更に中間部の駆動ローラ８Ｂのプーリは前後の駆動ローラ８Ａ及び８Ｃのプーリに懸架されたベルトで連結されている。従って、駆動モータ９の回転駆動力は、全ての駆動ローラ８Ａ〜８Ｃへ伝達されるようになっている。
【００１５】
また本体ケース６内の挿入口側と、奥部側には移送経路Ｌに臨んで磁気カード１の位置を検出する位置センサ１０Ａ，１０Ｂが配設されている。更に、中間部の駆動ローラ８Ｂの位置で且つ移送経路Ｌの上方であって、移送途中の磁気カード１に近接した位置には、磁気媒体層６に記録された磁気データを読み取る磁気ヘッド１２が配設されている。
更にまた、本体ケース６の上面側で、且つ手前部と中間部の駆動ローラ８Ａ，８Ｂの間には、幅広部（２３ｍｍ）と細幅部（１５ｍｍ）の矩形状が連続するバーコードリーダ設置用の開口１３が切欠き形成されている。そして、この開口１３に臨んでバーコードリーダ１４がステー１５を介して設置されている。なお、図１において、符号１６は、バーコードリーダ１４の赤外線が照射されるスキャニング部である。
【００１６】
このように構成されたカード読取装置２は、図３に示すように、患者案内端末装置３の中段部右上に設置されている。これは右利きの利用者が、磁気カード１を挿入口７へ挿入しやすい高さになるようにするためである。
この患者案内端末装置３は、上段部のテレビモニタ１７と、中段部の操作部１８と、下段部の収納庫１９とで構成されている。テレビモニタ１７は、中段部から切り離し自在であり、単独で使用することも可能である。中段部の操作部１８は、タッチパネル部２０と、操作押ボタン部２１と、前述したカード読取装置２と、カード読取装置２の下方側に設置された受付票の発券機（プリンタ）２２とで構成されている。下段部の収納庫１９は、通常は開閉扉が開かないように鍵がかかっている。
【００１７】
そして、前記タッチパネル部２０に表示されるタッチパネルのスイッチは、操作押ボタン部２１と同じ操作機能を有するものが、同じ表示態様（色、模様等）で表示されている。従って、利用者がタッチパネルで操作した場合でも押ボタンで操作した場合であっても、同じ表示態様のものは同じ機能を操作したことが得られるように設定されている。また押ボタン部２１の各押ボタンは、操作しない状態において、その上面が本体のパネル盤の表面と面一になるように埋め込まれている。これは突起物で不用意な怪我をしないための配慮である。
【００１８】
次に、このように構成された患者案内端末装置３の動作態様を、図１乃至図３を参照して説明する。先ず、利用者は病院の受付窓口に設置された患者案内端末装置３において、受付の手続を行う。受付は、利用者が患者自身のＩＤカードである磁気カード１をカード読取装置２の挿入口７へ挿入して開始される。読取装置２は、磁気カード１が差し込まれることによって、手前部の位置センサ１０Ａがこれを検知し、駆動モータ９を正方向へ回転させる。これにより、駆動ローラ８Ａが磁気カード１を図２の右方向へ移送するようになり、磁気カード１はその先端部が中間部の駆動ローラ８Ｂと接触する。続いて、磁気カード１はこの中間部の駆動ローラ８Ｂにより、更に右方向へ移送され、その先端部が位置センサ１０Ｂによって検出されると、駆動モータ９が切り換えられて逆転し、左方向（返却方向）へ移送される。
【００１９】
磁気カード１が右方向へ移送される過程において、磁気ヘッド１２は磁気カード１の磁気媒体層４に記録された磁気データを読み取り、発券機２２へ出力する。発券機２２は、当日の受付状態を管理しており、受付順に受付番号を付与して、日付、受付番号、患者氏名等が記載された受付票を発券する。
【００２０】
一方、左方向へ移送された磁気カード１は、その後端部が位置センサ１０Ａによって検出されると、駆動モータ９が停止されるので、前記受付票が発券される間この手前部ローラ８Ａと中間ローラ８Ｂとの間の位置でしばらく停止して待機する。図３は、この状態を示している。この待機位置において、バーコードリーダ１４が赤外線をスキャニングして磁気カード１の表面に付したバーコードを読み取る。
このバーコード情報は、発券機２２へ出力されるが、磁気ヘッド１２が磁気データを正常に読み取っている場合は利用されることはない。但し、磁気カード１の磁気媒体層４の磁気データが消失している場合、又は磁気ヘッド１２が何らかの原因で故障し、機能しなくなった場合は、発券機２２へ磁気ヘッド１２からの信号は出力されないので、バーコードリーダ１４で読み取ったバーコード情報を発券機２２へ出力し、受付票を発券させるようにしている。
【００２１】
このようにして発券が完了した後は、駆動モータ９が磁気カード１を返却する方向へ回転し、磁気カード１を挿入口７から排出する。利用者は受付票と磁気カード１とを受け取り、診療科の受付へ移動すればよい。そして、診療科で呼出表示されれば診察室へ入ればよい。
【産業上の利用可能性】
【００２２】
ところで、本発明は、上述の実施の形態に限定されるものではなく、病院の受付以外の分野、例えば銀行などの金融機関における受付票の発券、研究所などの重要施設への入退室管理等、幅広い分野での応用が可能である。
【図面の簡単な説明】
【００２３】
【図１】本発明の一実施の形態に係るものであり、磁気カード及びカード読取装置を示す平面図である。
【図２】本発明の一実施の形態に係るものであり、カード読取装置を側面から見た概略透視図である。
【図３】本発明の一実施の形態に係るものであり、カード読取装置を組み込んだ患者案内端末装置の正面図である。
【符号の説明】
【００２４】
１…磁気カード、２…カード読取装置、３…患者案内端末装置、４…磁気媒体層、５…バーコード、６…カードリーダ本体、７…磁気カード挿入口、８Ａ，８Ｂ，８Ｃ…駆動ローラ、９…駆動モータ、１０Ａ，１０Ｂ…位置センサ、１２…磁気ヘッド、１３…バーコード設置用の開口、１４…バーコードリーダ、１６…スキャニング部、１７…テレビモニタ、１８…操作部、１９…収納庫、２０…タッチパネル部、２１…押ボタン部、２２…発券機
【図１】
2007148484.tif 000003
【図２】
2007148484.tif 000004
【図３】
2007148484.tif 000005